(57)【要約】      （修正有）【課題】乗りかごの構造を大きく変更することなく、乗りかご内の光の演出効果を高めつつ視認性が良好なレベータの乗りかごを提供する。【解決手段】照明装置は、光源と照明板を備え、照明板は、３つの照射板１２ａ、１２ｂ、１２ｃとから構成され、複数の壁面部は、ドア面と、ドア面と対向する位置に配置された第１壁面と、左右に配置された一対の壁面３３、３４とから構成され、第１壁面は、３枚の側板３２ａ、３２ｂとから構成されるとともに、３枚の側板３２ａ、３２ｂの何れか１枚に設けた鏡板を備え、光源は、ドア面側から見て左右に分かれて配置された２つの光源を備え、２つの光源の一方は、他方よりも輝度が高い光源体で構成され、空間は、２つの光源の一方から光が照射される第１領域１００と、他方から光が照射される第２領域１１０を備えるようにする。【選択図】図５
2010228898.tif 000002
【特許請求の範囲】
【請求項１】
床面と、照明装置を有する天井部と、複数の壁面部とから構成され、内部に空間を有するエレベータの乗りかごにおいて、
前記照明装置は、光源と、前記天井部の天井面を構成する照明板を備え、
前記照明板は、３分割された３枚の照射板で構成され、
前記複数の壁面部は、乗りかごの前面を構成するドア面と、前記ドア面と対向する位置に配置された第１壁面と、前記ドア面から見て左右に配置された一対の壁面とから構成され、
前記第１壁面は、３分割された３枚の側板で構成されるとともに、３枚の側板の何れか１枚に設けられた鏡板を備え、
前記光源は、前記ドア面側から見て左右に分かれて配置された２つの光源を備えるとともに、２つの光源の一方が他方よりも輝度が高い光源体で構成され、
前記空間は、２つの光源の一方から光が照射される第１領域と、他方から光が照射される第２領域を備えている
ことを特徴とするエレベータの乗りかご。
【請求項２】
請求項１に記載のエレベータの乗りかごにおいて、
前記照明板は、前記ドア面側から見て、左側に配置された第１照射板と、右側に配置された第２照射板と、中央に配置された第３照射板とから構成され、
前記第１壁面は、前記ドア面側から見て、左側に配置された第１側板と、右側に配置された第２側板と、中央に配置された第３側板とから構成されるとともに、前記鏡板が前記第１側板の前面に配置され、
前記一対の側面は、前記ドア面側から見て左側に配置された第２壁面と、右側に配置された第３壁面とで構成され、
前記光源は、前記第１照射板に配置された第１光源と、前記第２照射板に配置された第２光源とを備え、
前記第１光源は、前記第２光源よりも輝度が高い光源体で構成され、
前記第１領域は、前記第１側板と前記第１照射板と前記第２壁面とで形成されるとともに、前記第１光源から光が照射され、
前記第２領域は、前記第２側板と前記第２照射板と前記第３壁面とで形成されるとともに、前記第２光源から光が照射される
ことを特徴とするエレベータの乗りかご。
【請求項３】
請求項１または２に記載のエレベータの乗りかごにおいて、
前記空間は、前記第１領域と前記第２領域との間に形成された第３領域を備えている
ことを特徴とするエレベータの乗りかご。
【請求項４】
請求項１から３の何れかに記載のエレベータの乗りかごにおいて、
前記ドア面は、前記第１壁面に配置された鏡板と対向する位置に配置された操作パネルを備えている
ことを特徴とするエレベータの乗りかご。
【発明の詳細な説明】
【技術分野】
【０００１】
本発明は、エレベータの乗りかごに係り、特に、簡単な構造でかご内を最適な明るさにすることができるエレベータの乗りかごに関するものである。
【背景技術】
【０００２】
エレベータの乗りかごは、照明装置を有する天井部と、床部と、複数の壁面部とから構成され、内部に形成された略直方体の空間を有している。このようなエレベータの乗りかごは、複数の壁面部が１枚のドア面と３枚の壁面とで構成され、３枚の壁面のうち、少なくともドア面と対向する位置に配置された壁面が３枚の側板を組み合わせた構成、即ち、壁面が３分割された構成とすることが知られている（例えば、特許文献１参照）。
【０００３】
また、従来のエレベータの乗りかごにおいては、かご室内の天井面を構成する照明装置の照明板が３分割された構成を備え、３分割された照明板の中央に救出口、左右に照明体を配置することが知られている（例えば、特許文献２参照）。
【０００４】
さらに、従来のエレベータの乗りかごにおいては、かご室内を明るくするため、壁面部に発光パネルを設け、この発光パネルの点灯および消灯を制御することで、壁面部の輝度を高め、かご室内の明るさ感を向上させるエレベータの乗りかごが知られている（例えば、特許文献３参照）。
【先行技術文献】
【特許文献】
【０００５】
【特許文献１】特開２０００−１２８１号公報
【特許文献２】特開２００８−４４７３４号公報
【特許文献３】特開２００８−１１０８２０号公報
【発明の概要】
【発明が解決しようとする課題】
【０００６】
上記特許文献１に記載のエレベータの乗りかごにおいては、ドア面と対向する壁面を３枚の側板で構成し、中央の側板に鏡を配置することで、車いす利用者が乗り降りの際に周囲を確認しやすくしている。
【０００７】
しかしながら、乗りかごの内部が鏡に映らないので、乗りかご内のドア面に配置された操作パネルの位置が乗りかごに乗り込むまでわからない。例えば、操作パネルが出入口側から見て、乗りかご内の右側にあるのか左側にあるのかがわからず、乗り込み前における乗りかご内の操作パネルの視認性が良くなかった。
【０００８】
一方、かご内の明るさは、僅かに暗い方が心理的に落ち着くことが知られている。上記特許文献２に記載の乗りかごにおいては、中央の照明板に照明体が配置されていないことから、左右の照明板に配置された照明体から放射される拡散光により、かご内全体が照らされることになる。また、上記特許文献３に記載の乗りかごにおいては、壁面に取り付けられた発光パネルを制御することにより、かご室内の明るさ感を向上させている。
【０００９】
しかしながら、上記特許文献２および上記特許文献３に記載の乗りかごにおいては、かご内の明るさに強弱（メリハリ）がなく、心理的に落ち着かないことがある。
【００１０】
そこで、この発明の目的とするところは、乗りかごの構造を大きく変更することなく、乗りかご内の光の演出効果を高めつつ視認性が良好なレベータの乗りかごを提供することにある。
【課題を解決するための手段】
【００１１】
前記目的を達成するために、本発明に係るエレベータの乗りかごは、床面と、照明装置を有する天井部と、複数の壁面部とから構成され、内部に空間を有するエレベータの乗りかごにおいて、前記照明装置は、光源と、前記天井部の天井面を構成する照明板を備え、前記照明板は、３分割された３枚の照射板で構成され、前記複数の壁面部は、乗りかごの前面を構成するドア面と、前記ドア面と対向する位置に配置された第１壁面と、前記ドア面から見て左右に配置された一対の壁面とから構成され、前記第１壁面は、３分割された３枚の側板で構成されるとともに、３枚の側板の何れか１枚に設けられた鏡板を備え、前記光源は、前記ドア面側から見て左右に分かれて配置された２つの光源を備えるとともに、２つの光源の一方が他方よりも輝度が高い光源体で構成され、前記空間は、２つの光源の一方から光が照射される第１領域と、他方から光が照射される第２領域を備えるようにする。
【００１２】
具体的には、エレベータの乗りかごにおいて、前記照明板は、前記ドア面側から見て、左側に配置された第１照射板と、右側に配置された第２照射板と、中央に配置された第３照射板とから構成され、前記第１壁面は、前記ドア面側から見て、左側に配置された第１側板と、右側に配置された第２側板と、中央に配置された第３側板とから構成されるとともに、前記鏡板が前記第１側板の前面に配置され、前記一対の側面は、前記ドア面側から見て左側に配置された第２壁面と、右側に配置された第３壁面とで構成され、前記光源は、前記第１照射板に配置された第１光源と、前記第２照射板に配置された第２光源とを備え、前記第１光源は、前記第２光源よりも輝度が高い光源体で構成され、前記第１領域は、前記第１側板と前記第１照射板と前記第２壁面とで形成されるとともに、前記第１光源から光が照射され、前記第２領域は、前記第２側板と前記第２照射板と前記第３壁面とで形成されるとともに、前記第２光源から光が照射されるようにする。
【発明の効果】
【００１３】
本発明によれば、乗りかごの構造を大きく変更することなく、乗りかご内の光の演出効果を高めつつ視認性が良好なレベータの乗りかごを提供できる。
【図面の簡単な説明】
【００１４】
【図１】背面側から見た乗りかごの内部を示す斜視図である。
【図２】出入口側から見た乗りかごの内部を示す断面図である。
【図３】乗りかごの内部に配置された操作パネルの構成を示す図である。
【図４】乗りかごの内部を示す断面図である。
【図５】乗りかごの内部における照明エリアを示す図である。
【発明を実施するための形態】
【００１５】
以下、図１から図５を参照し、この発明に係るエレベータ装置について、具体的に説明する。また、説明に当たっては、同一部位や同一矢印、同一機能部材などについては、同一符号を持って示し、重複した説明を省略する。
【００１６】
図１は、背面側から見た乗りかごの内部を示す斜視図である。図２は、出入口側から見た乗りかごの内部を示す断面図である。図３は、乗りかごの内部に配置された操作パネルの構成を示す図である。図４は、乗りかごの内部を示す断面図であり、図４（ａ）が背面側から見た断面図、図４（ｂ）が出入口から見た断面図である。図５は、乗りかごの内部における照明エリアを示す図である。
【００１７】
まず、図１および図２を参照して、本発明に係るエレベータ装置の乗りかごについて説明する。
【００１８】
図１および図２において、エレベータ装置の乗りかご１は、天井部１０と、床面２０と、複数の壁面部とから構成され、内部に乗客が乗るための空間が形成されている。
【００１９】
複数の壁面部は、ドア面３１と、このドア面３１と対向する第１壁面３２と、ドア面３１の左側に位置する第２壁面３３と、ドア面３１の右側に位置する第３壁面３４とで構成されている。
【００２０】
なお、この実施例では、ドア面３１と第１壁面３２が対向する方向を前後方向、第２壁面３３と第３壁面３４が対向する方向を左右方向として説明する。
【００２１】
天井部１０には、照明板１２を備えた照明装置１１が配置されており、この照明装置１１の内部に光源が設けられている。照明板１２は、前後方向に沿って３分割された３枚の照射板からなる構成を備えており、出入口側（ドア面側）から見て左側に配置された第１照射板１２ａと、右側に配置された第２照射板１２ｂと、第１照射板１２ａと第２照射板１２ｂの間、即ち、中央部に配置された第３照射板１２ｃとから構成されている。また、第１照射板１２ａと第２照射板１２ｂと第３照射板１２ｃは、開閉可能に設けられており、各照射板を乗りかご１の内部にむけて開くことで、光源のメンテナンス（清掃や交換）を行ったり、非常時に乗客を救出したりするようになっている。
【００２２】
光源は、ドア面３１側から見て左右に分かれて配置された第１光源１３と第２光源１４とから構成され、第１光源１３は第１照射板１２ａの上面、第２光源１４は第２照射板１２ｂの上面にそれぞれ配置されている。第１光源１３および第２光源１４の上方には、それぞれ開閉蓋１３１、１３２が設けられており、開閉蓋１３１、１３２を開くことで、光源の清掃や交換を行うこともできる。また、第１光源１３は、第２光源１４よりも輝度が高い光源体で構成されている。
【００２３】
第１光源１３から発せられた光は、第１照射板１２ａを介して乗りかご１の内部に照射されるようになっている。また、第２光源１４から発せられた光は、第２照射板１２ｂに形成された開口部１５を介して乗りかご１の内部に照射されるようになっている。
【００２４】
第３照射板１２ｃの上方には、非常時に乗客を救出するための救出口１３５が形成されており、救出口１３５の上方に配置された開閉蓋１３０と第３照射板１２ｃを開くことにより、救出口１３５と乗りかご１の内部が連通し、乗客を脱出させるための脱出路が形成される。
【００２５】
ドア面３１は、中央に配置された開閉ドア３１ａと、出入口側から見て開閉ドア３１ａの左側に配置された左壁面部３１ｂと、右側に配置された右壁面部３１ｃを備え、左壁面部３１ｂに操作パネル４０が配置されている。
【００２６】
第１壁面３２は、３分割された３枚の側板からなる壁面構成を備えており、出入口側（ドア面側）から見て左側に配置された第１壁面部３２ａと、右側に配置された第２壁面部３２ｂと、第１壁面部３２ａと第２壁面部３２ｂの間、即ち、中央部に配置された第３壁面部３２ｃとから構成されている。
【００２７】
第１壁面部３２ａと第２壁面部３２ｂと第３壁面部３２ｃは、それそれ短手方向の両端部に折曲部が形成されており、この折曲部を介して隣り合う壁面部がボルトやナットで固定されることにより、第１壁面３２が構成されるようになっている。また、第１壁面部３２ａには、ガラス製の鏡やステンレス鏡面材などから構成される鏡板が取り付けられるようになっている。
【００２８】
なお、鏡板を取り付けるための壁面構造および鏡板の取り付けについては、例えば、特開平１１−３２２２３３号公報で示されているような技術により実施することができるので、詳細な説明は省略する。
【００２９】
第２壁面３３および第３壁面３４は、第１壁面３２と同様、３枚の側面板からなる３分割構造を備えている。３枚の側面板は、それぞれ短手方向の端部に形成された折曲部が形成されており、この折曲部を介して隣り合う側面板がボルトやナットで固定されることにより、第２壁面３３および第３壁面３４が構成されるようになっている。
【００３０】
次に、図３を参照して、操作パネルの構成について説明する。図３において、操作パネル４０は、下方に配置されたスイッチボックス４１と、このスイッチボックス４１の上方に配置された操作盤４２と、操作盤４２の上方に配置された表示部４３とを備え、スイッチボックス４１と操作盤４２と表示部４３は、乗りかご１の移動方向（上下方向）に沿って一列に並ぶように一対のパネル部材４０ａ、４０ｂで挟まれた構成となっている。
【００３１】
スイッチボックス４１には、保守作業時に操作されるスイッチ類が収納されており、通常は鍵４１ａにより施錠されている。
【００３２】
操作盤４２は、上部操作盤４２ａと下部操作盤４２ｂとで構成されており、上部操作盤４２ａには、非常時に操作される非常呼びボタン４６、下部操作盤４２ｂには、乗りかご１の行先階を登録する階床ボタン４７と、開閉ドア３１ａの開閉を行う開閉ボタン４８が設けられている。開閉ボタン４８は、開閉ドア３１ａが開いた状態を延長するために操作される開ボタン４８ａと、開閉ドア３１ａを閉じるために操作される閉ボタン４８ｂとから構成されている。また、表示部４３には、乗りかご１の移動方向や移動中の階床表示、到着階の階床表示などを行うようになっている。
【００３３】
この実施例に係るエレベータの乗りかごは、３分割された照射板１２と３分割された第１壁面３２が連続するように配置された構成に特徴を有している。具体的には、図２で示すように、第１照射板１２ａと鏡板を有する第１壁面部３２ａ、第２照射板１２ｂと第２壁面部３２ｂ、第３照射板１２ｃと第３壁面部３２ｃが、それぞれ連続するように構成されている。
【００３４】
このような構成とすることで、図４（ａ）で示すように、第１壁面部３２ａと対向する左壁面部３１ｂに配置された操作パネル４０が、図４（ｂ）で示すように、第１壁面部３２ａに配置された鏡板に写されるので、乗りかごへ乗り込む前に操作部の位置を確認することができる。しかも、第１壁面部３２ａの上方に配置された第１光源１３からの光が、鏡板により増大されるので、出入口から見て乗りかご１の内部左側が明るくなり、鏡板に写された操作パネル４０の視認性を良好にすることができる。
【００３５】
次に、図５を参照して、乗りかごの内部における照明空間について説明する。図５において、乗りかご１の内部には、出入口から見て左側に位置する第１領域１００と、出入口から見て右側に位置する第２領域１１０と、第１領域１００と第２領域１１０の間、即ち、中央に位置する第３領域１２０が形成されている。
【００３６】
ここで、図５においては、第１領域１００と第２領域１１０と第３領域１２０を明確するため、第１照射板１２ａと第３照射板１２ｃとの境界部および第１壁面部３２ａと第３壁面部３２ｃとの境界部に、実際には存在しない仮想面Ａ１、第２照射板１２ｂと第３照射板１２ｃとの境界部および第２壁面部３２ｂと第３壁面部３２ｃとの境界部に、実際には存在しない仮想面Ａ２を、便宜上設けて説明する。
【００３７】
この実施例では、第１領域１００が第２壁面３３と仮想面Ａ１の一方の面で仕切られた領域、第２領域１１０が第３壁面３４と仮想面Ａ２の一方の面で仕切られた領域、第３領域１２０が仮想面Ａ１の他方の一面と仮想面Ａ２の他方の一面とで仕切られた領域となっている。
【００３８】
第１領域１００は、第１光源１３から照射された照明光を、第１照射板１２ａを介して乗りかご１の内部へ拡散することで、照らされるようになっている。第２領域１１０は、第２光源１４から照射された照明光を、第２照射板１２ｂに形成された２つの開口部１５を介して部分的に照らされるようになっている。第３領域１２０は、第１領域１００を照らしている光の一部と、第２領域１１０を照らしている光の一部により照らされるようになっている。
【００３９】
この実施例に係るエレベータの乗りかごは、エレベータの乗りかごの内部に、明るい領域と暗い領域を設ける構成に特徴を有している。具体的には、図５で示すように、第１照射板１２ａと第１壁面部３２ａとの位置を合わせることにより、第１光源１３から照射された照明光の輝度が鏡板により高められるので、第１領域１００を明るく照らすことになる。
【００４０】
また、第２照射板１２ｂと第２壁面部３２ｂとの位置を合わせることにより、第２光源１４から照射された照明光が２つの開口部１５を介して第２領域１１０を部分的に照らすので、薄暗い第２領域１１０をほのかに明るくすることができる。
【００４１】
さらに、第３照射板１２ｃと第３壁面部３２ｃとの位置を合わせることにより、第１領域１００を照らす光の一部と、第２領域１１０を照らす光の一部で第３領域１２０を薄暗く照らすことができる。
【００４２】
つまり、この実施例によれば、乗りかごの内部に、明るい部分とほのかに明るい部分と薄暗い部分を設けることができるので、乗りかごの内部の明るさに強弱（メリハリ）を付けることができ、快活な明るさと、落ち着きのあるほの暗さを備えた乗りかごを実現することができる。
【００４３】
このように、この実施例に係る乗りかご１の発明者らは、コストアップや乗りかごとしての基本構造を大きく変更することなく、乗りかご内の光の演出効果を高めつつ視認性が良好なレベータの乗りかごを提供する目的を達成するために、次の点に着目した。
（１）この乗りかご１の各壁面は、歩留まりを良好にするために３枚の同じ幅の板材を左右に繋いで形成されている。
（２）開閉ドア３１を備えた第１壁面部は、この開閉ドア３１の両側に左右の壁面３１ｂ、３１ｃが設けられ、その一方には操作盤４２が設けられている。
（３）天井面は、中央に配置さえる非常口の関係の関係から、この中央部分に照明装置を配置し難い。
（４）従来、車椅子利用者の出入りのために活用されていた壁面の鏡を他に活用できないか。
（５）従来のかご内は、照度を高くして明るさを求めたり、あるいは、間接照明で雰囲気を求めたりしているが、一様の光の演出効果が主体であった。
【００４４】
本発明者らは、前記目的を達成するために、先ず、天井照明を第１壁面３２に合わせた３分割とし、中央には照明装置を配置せず、一方の片側を照度の高い照明装置を配置し、他方には照度の低いスポットライトなどの照明装置を配置することにより、３分割された物理的な構造に加えて、中央の照明装置がない空間で、明るい空間と、やや暗い空間をより明確に表した３分割された光の空間を実現した。しかも、明るい空間を構成する第１壁面３２の一方の片側の壁面に鏡を設けることにより、明るい天井照明がこの鏡に反射して、その明るさをより高めて、３分割された光の空間をより演出効果の高い空間とすることができる。更にまた、明るい天井照明が配置される一方の空間を操作盤４２の配置される片側に設定することにより、単に光の演出効果だけでなく、操作盤４２の視認性をも高めることができる。
【００４５】
また、この発明の特徴的な３分割の構造によれば、開閉ドア３１ａが両側の左壁面部３１ｂと右壁面部３１ｃより大きいので、操作盤４２を備えた左右壁面部３１ｂ、３１ｃの一方は、鏡の横幅より狭いものとなる。このため、乗りかごに載ろうとする利用者、鏡面に映る明るい空間に存在する操作盤が視認しやすい。
【符号の説明】
【００４６】
１…乗りかご、１０…天井部、１１…照明装置、１２…照明板、１２ａ…第１照射板、１２ｂ…第２照射板、１２ｃ…第３照射板、１３…第１光源、１４…第２光源、１５…開口部、２０…床面、３１…ドア面、３１ａ…開閉ドア、３１ｂ…左壁面部、３１ｃ…右壁面部、３２…第１壁面、３２ａ…第１壁面部、３２ｂ…第２壁面部、３２ｃ…第３壁面部、３３…第２壁面、３４…第３壁面、４０…操作パネル、４０ａ…パネル部材、４０ｂ…パネル部材、４１…スイッチボックス、４１ａ…鍵、４２…操作盤、４２ａ…上部操作盤、４２ｂ…下部操作盤、４３…表示部、４６…非常呼びボタン、４７…階床ボタン、４８…開閉ボタン、４８ａ…開ボタン、４８ｂ…閉ボタン、１００…第１領域、１１０…第２領域、１２０…第３領域、１３０…開閉蓋、１３１…開閉蓋、１３２…開閉蓋、１３…救出口。
【図１】
2010228898.tif 000003
【図２】
2010228898.tif 000004
【図３】
2010228898.tif 000005
【図４】
2010228898.tif 000006
【図５】
2010228898.tif 000007